(57)【特許請求の範囲】
【請求項１】
スキャン装置の光学読込ヘッドであって、
表面にレンズ用滑り軌道を有するケーシングと、
画像センサーを含む画像検出モジュールと、
前記レンズ用滑り軌道に接触し、且つ前記レンズ用滑り軌道に沿って摺動可能なレンズと、
前記ケーシングの前記表面に配置され、前記レンズの光の入射方向に移動するように構成され、背部と第１及び第２の側部とを有し、前記画像検出モジュールが当該背部に支持されている調整台と、
前記第１と第２の側部の間に設置され、前記レンズが外力に応じて前記レンズ用滑り軌道に沿って摺動可能となるように前記レンズを駆動する滑りフレームと、
を有する光学読込ヘッド。
【請求項２】
相補的な形状を有し、それぞれ前記ケーシングの前記表面と前記調整台の前記第１の側部の底面とに形成される二つの合わせ要素を更に含む、
請求項１に記載の光学読込ヘッド。
【請求項３】
前記合わせ要素は、調整台用滑り軌道と第１の突起部とを含む、
請求項２に記載の光学読込ヘッド。
【請求項４】
それぞれ前記調整台の第１と第２の側部の外部表面から突き出す二つの水平底板を更に含む、
請求項１に記載の光学読込ヘッド。
【請求項５】
前記水平底板の各々は、前記ケーシングの前記表面に位置する第１のねじ穴に対応する第１の導向軌道と、前記第１の導向軌道を通過して当該第１のねじ穴にスクルーされるねじとを含む、
請求項４に記載の光学読込ヘッド。
【請求項６】
前記調整台用滑り軌道と平行し、前記ケーシングの前記表面に形成され、前記水平底板の移動方向を制限する二つの導向レールを更に含む、
請求項４に記載の光学読込ヘッド。
【請求項７】
二つの第２の突起部が、前記導向レールのトップエッジに形成され、前記調整台が移動される際に、前記調整台が前記ケーシングから脱離することを防止する、
請求項６に記載の光学読込ヘッド。
【請求項８】
第１の線形凹部が前記調整台用滑り軌道に形成され、前記第１の側部が前記第１の線形凹部に対応する下向きの第１のせん孔を有し、前記調整台が前記ケーシングに取り付けられる際に、前記第１の線形凹部の一部が当該下向きの第１のせん孔から露出される、
請求項３に記載の光学読込ヘッド。
【請求項９】
二つの水平ブロックが、前記滑りフレームをサポートするために、前記調整台の前記第１と第２の側部の内壁に形成される、
請求項１に記載の光学読込ヘッド。
【請求項１０】
前記滑りフレームの二つのサイドは、前記水平ブロックの上面と底面とを締めるために、前記水平ブロックに対応する第１の水平翼とＬ状のほぞを含む、
請求項９に記載の光学読込ヘッド。
【請求項１１】
前記滑りフレームは、その両サイドに二つの第２の水平翼を有する、
請求項１に記載の光学読込ヘッド。
【請求項１２】
前記第２の水平翼の各々は、前記ケーシングの前記表面に位置する第２のねじ穴に対応する第２の導向軌道を有し、ねじが前記第２の導向軌道に通過され、前記第２のねじ穴にスクルーされる、
請求項１１に記載の光学読込ヘッド。
【請求項１３】
前記滑りフレームは、その上面に配置される水平尾板を更に含み、前記調整台の前記背部は、その上面に滑り切欠き部を更に含み、前記滑りフレームが前記調整台と連結される際に、当該水平尾板は、当該滑り切欠き部を覆う、
請求項１に記載の光学読込ヘッド。
【請求項１４】
第２の線形凹部が前記調整台の前記背部の上面に形成され、前記水平尾板が前記第２の線形凹部に対応する下向きの第２のせん孔を有し、前記滑りフレームが前記調整台に取り付けられる際に、前記第２の線形凹部の一部が当該下向きの第２のせん孔から露出される、
請求項１３に記載の光学読込ヘッド。
【請求項１５】
前記滑りフレームの前記水平尾板は、その端部から下向きに延伸する第３の突起部を更に有し、前記調整台の背部は、前記第３の突起部に対応する横向き凹部を更に含み、前記第３の突起部は、前記第３の突起部の移動範囲を制限するために、前記横向き凹部に収納される、
請求項１３に記載の光学読込ヘッド。
【請求項１６】
前記調整台の第１の側部の下に固定板を更に含み、当該固定板は、前記調整台用滑り軌道に形成されるＬ状の導向軌道に対応するＬ状のフック部を有し、当該Ｌ状のフック部は前記Ｌ状の導向軌道の短辺サイドを貫通し、前記Ｌ状の導向軌道の長辺サイドの外面にフックされ、前記調整台の前記第１の側部の底面は、前記調整台用滑り軌道と密接的に接触する、
請求項１に記載の光学読込ヘッド。
【請求項１７】
前記調整台と前記画像検出モジュールとの接続部分に配置される押し棒を更に含み、前記調整台は、当該押し棒を収納するために収納部を更に有する、
請求項１に記載の光学読込ヘッド。
【請求項１８】
前記押し棒は、その上面に第３の線形凹部を更に含み、前記調整台は、前記第３の線形凹部に対応する下向きの第３のせん孔を有し、前記第３の線形凹部の一部は、前記押し棒が前記収納部に収納された後に、当該下向きの第３のせん孔から露出される、
請求項１７に記載の光学読込ヘッド。
【請求項１９】
前記押し棒の上面は、前記調整台の第３の導向軌道に対応する第３のねじ穴を更に含み、ねじが前記第３の導向軌道に通過され、前記第３のねじ穴にスクルーされる、
請求項１７に記載の光学読込ヘッド。
【請求項２０】
前記押し棒の前端は、前記画像検出モジュールの第４の導向軌道に対応する第４のねじ穴を更に含み、ねじが前記第４の導向軌道に通過され、前記第４のねじ穴にスクルーされる、
請求項１７に記載の光学読込ヘッド。
【発明の詳細な説明】
【技術分野】
【０００１】
本発明は、スキャン装置の光学読込ヘッドに関し、具体的に、焦点合わせと倍率補正を容易にするための調整台と滑りフレームとを有する光学読込ヘッドに関する。
【背景技術】
【０００２】
図１は、従来のスキャン装置１の光学読込ヘッドの断面図である。図１に示すように、光学読込ヘッド１０は、光源１０１、複数の反射ミラー１０２、レンズ１０３及び画像検出モジュール１０４を有する。スキャンするときに、光源１０１からの光束がスキャン対象としての文書１１に投射される。スキャン対象としての文書１１から反射された光束が、複数の反射ミラー１０２により反射され、レンズ１０３より集束される。集束された光束は、画像検出モジュール１０４の画像センサー（図示せず）に結像し、アナログ信号に変換される。光源１０１、反射鏡１０２、レンズ１０３及び画像検出モジュール１０４がケーシング１００に含まれる。光学読込ヘッド１０のケーシング１００は、駆動デバイス（図示せず）により駆動され、スキャン対象としての文書１１の全体をスキャンする。
【０００３】
図１に示すように、光源１０１、反射鏡１０２、レンズ１０３及び画像検出モジュール１０４が光学読込ヘッド１０のケーシング１００に取り付けられた後に、焦点合わせと倍率補正を行う必要がある。まず、レンズ１０３の位置を適当に調整することにより、画像センサーに明らかに結像することができる。次に、レンズ１０３と画像検出モジュール１０４を同時に移動することにより、光学読込ヘッド１０の倍率の誤差が所定値以下となる。一般的に、焦点合わせと倍率補正を行う際に、レンズ１０３と画像検出モジュール１０４が調整台に配置され、そして、調整台がケーシング１００に取り付けられる。この場合、調整台に配置されるレンズ１０３を移動し、画像センサーに結像することにより、光学読込ヘッドの倍率を校正することができる。そして、調整台の位置を調整することにより、レンズ１０３と画像検出モジュール１０４が同時に移動されるので、倍率補正を行う。
【０００４】
上記の光学読込ヘッドの一例が特許文献１に開示されている。この例に係る光学読込ヘッドの光路調整メカニズムにおいて、レンズと画像検出モジュールが調整台に取り付けられる。調整台に配置されるレンズを移動し、画像センサーに結像することにより、光学読込ヘッドの倍率を校正することができる。または、調整台の位置を調整することにより、レンズと画像センサーが同時に移動される。これにより、光学読込ヘッドの倍率を校正することもできる。
【０００５】
前述のように、レンズが調整台で移動され、画像センサーの焦点合わせを行い、そして、調整台が移動され、倍率補正を行う。しかし、この光路調整メカニズムには欠点がいくつかある。例えば、レンズが調整台によりケーシングに直接移動され、焦点合わせと倍率補正を行うので、光学読込ヘッドの累積誤差が大きくなり、スキャニング機能が低下する。
【０００６】
一方、倍率補正を行う際に、ケーシングにおいて調整台を安定的に移動することが要求される。特許文献１に開示されている光学読込ヘッドによれば、弾性クリップ部が調整台の片側に配置され、調整台の反対側が滑り台と密接的に接触する。この場合、調整台が滑り台の両側の近くに前進される。しかし、弾性シートによる押す力が前進方向と垂直するので、調整台が右の方或いは左の方に傾き、滑り台に沿って安定的に移動することができない。
【０００７】
また、焦点合わせと倍率補正が行われた後に、レンズが接着剤で調整台に取り付け、レンズの位置を固定する。光学読込ヘッドは保守或いは再加工される必要がある場合、及び、レンズは交換される必要がある場合には、レンズと調整台の組み合わせを新しいものに交換しなければならない。これにより、光学読込ヘッドは保守或いは再加工される必要がある場合、及び、レンズは交換される必要がある場合には、レンズを固定及び簡単に分離することができる調整台の開発が要求される。
【０００８】
前述のように、従来のスキャン装置の光学読込ヘッドにおいて、レンズが調整台に取り付けられる。レンズが調整台によりケーシングに直接移動され、焦点合わせと倍率補正を行うので、光学読込ヘッドの累積誤差が大きくなる。従来技術のこのような欠点を踏まえ、本発明は、スキャン装置の光学読込ヘッドを開発する。
【特許文献１】台湾特許第４１７９３１号
【発明の開示】
【発明が解決しようとする課題】
【０００９】
本発明の目的は、累積誤差を最小限にするスキャン装置の光学読込ヘッドを提供することにある。
【００１０】
本発明の他の目的は、調整台がケーシングに安定的に移動するスキャン装置の光学読込ヘッドを提供することにある。
【００１１】
本発明の他の目的は、光学読込ヘッドは保守或いは再加工される必要がある場合、及び、レンズは交換される必要がある場合に、レンズを固定及び簡単に分離することができる調整台を有するスキャン装置の光学読込ヘッドを提供することにある。
【課題を解決するための手段】
【００１２】
本発明の第一の観点によれば、本発明はスキャン装置の光学読込ヘッドを提供する。この光学読込ヘッドは、ケーシング、画像検出モジュール、調整台、レンズ及び滑りフレームを含む。ケーシングは、その表面にレンズ用滑り軌道を有する。画像検出モジュールは、画像センサーを有する。調整台は、ケーシングの表面に配置され、背部と第１及び第２の側部を含み、画像検出モジュールは、この背部によりサポートされる。レンズは、レンズ用滑り軌道に移動可能である。滑りフレームは、第１と第２の側面の間に配置され、外力に応じてレンズをレンズ用滑り軌道に沿って駆動する。
【００１３】
本発明の第二の観点によれば、本発明はスキャン装置の光学読込ヘッドを提供する。この光学読込ヘッドは、ケーシング、画像検出モジュール、調整台及び押し棒を含む。ケーシングは、光源、複数の反射鏡及びレンズを有する。画像検出モジュールは、画像センサーを有する。調整台は、ケーシングの表面に設置され、画像検出モジュールをサポートし、また、調整台の中に収納部を有する。押し棒は、収納部に収納され、画像検出モジュールと連結され、画像検出モジュールの水平の配置角度を調整する。
【発明の効果】
【００１４】
本発明は、累積誤差を最小限にするスキャン装置の光学読込ヘッドを提供することができる。
【００１５】
また、本発明は、調整台がケーシングに安定的に移動するスキャン装置の光学読込ヘッドを提供することができる。
【００１６】
さらに、本発明は、光学読込ヘッドは保守或いは再加工される必要がある場合、及び、レンズは交換される必要がある場合に、レンズを固定及び簡単に分離することができる調整台を有するスキャン装置の光学読込ヘッドを提供することができる。
【発明を実施するための最良の形態】
【００１７】
次に、添付した図面を参照しながら、本発明の好適な実施形態を詳細に説明する。
【００１８】
図２は、本発明の好適な実施例に係るスキャン装置の光学読込ヘッドの断面図である。
【００１９】
図２に示すように、スキャン装置２の光学読込ヘッド２０は、光源２０１、複数の反射鏡２０２、レンズ２０３及び画像検出モジュール２０４を含む。光源２０１と複数の反射鏡２０２は、ケーシング２００に統合される。画像検出モジュール２０４は、調整台２０５に配置され、調整台２０５は、ケーシング２００に移動可能である。レンズ２０３は、調整台２０５に取り付けられる滑りフレーム２０６によりケーシング２００に固定される。光学読込ヘッド２０の一実施形態において、滑りフレーム２０６を移動することにより、レンズ２０３の位置を単独に調整でき、同時に、光学信号が画像センサーに結像するので、焦点合わせを行う。その後、調整台２０５を移動することにより、レンズ２０３と画像検出モジュール２０４が同時に移動されるので、光学読込ヘッド２０の倍率補正を行う。
【００２０】
図３Ａから３Ｄは、本発明の第一の好適な実施形態に係るスキャン装置の光学読込ヘッドを組み立てるプロセスを示す図である。説明を簡潔するために、ここでは、重要な構成要素のみを図に示す。
【００２１】
図３Ａに示すように、光学読込ヘッド２０は、ケーシング２００、調整台２０５、レンズ２０３、画像検出モジュール２０４及び滑りフレーム２０６を含む。レンズ用滑り軌道２０８は、ケーシング２００の上面２００Ａ（例えば、調整台２０５に対向する表面）に形成される。レンズ２０３はレンズ用滑り軌道２０８に沿って安定的に滑ることができるので、累積誤差が生成されない。画像検出モジュール２０４は、画像センサー２０４Ａと回路板２０４Ｂを含む。二つの導向軌道或いは導向孔（第４の導向軌道）２０４Ｂ’は、回路板２０４Ｂの二つの対向するエッジに形成される。調整台２０５は、背部２０９と二つの側部２１０及び２１１を含む。背部２０９と二つの側部２１０及び２１１との間の領域が中間スペースとして呼ばれ、その中に滑りフレーム２０６を収納する。
【００２２】
また、調整台２０５がケーシング２００と密接的に接触し、ケーシング２００に安定的に移動できるために、二つの合わせ要素（例えば、調整台用滑り軌道２０７と第１の突起部２１０Ａ）がそれぞれケーシング２００の上面と調整台２０５の側部２１０に形成される。調整台用滑り軌道２０７と第１の突起部２１０Ａは、合わせ形状を有する。相補的な形状であるため、調整台２０５の底面がケーシング２００と密接的に接触し、調整台２０５は、ケーシング２００に取り付けられた後に、調整台用滑り軌道２０７に安定的に移動する。なお、合わせ要素については、この実施形態に限定されず、あらゆる変更も可能である。例えば、突起部と滑り軌道が、合わせ形状を有すれば、それぞれケーシング２００と調整台２０５に形成されても良い。
【００２３】
図３Ａと３Ｂに示すように、画像検出モジュール２０４は、ねじ２２８を対応する第４の導向軌道２０４Ｂ’を貫通し、調整台２０５の背部２０９のねじ穴２０９Ａ（図４Ａに示される）にスクルーすることにより、調整台２０５と組み合わせる。その後、調整台２０５と画像検出モジュール２０４との組み合わせは、ケーシング２００の上面２００Ａに配置され、第１の突起部２１０Ａと共に調整台用滑り軌道２０７に沿って安定的に移動する。
【００２４】
また、図３Ａと３Ｂに示すように、調整台２０５がケーシング２００に安定的に移動できるために、二つの水平底板２１２が、それぞれ調整台２０５の側部２１０と２１１の外表面から突き出される。また、調整台用滑り軌道２０７と平行する二つの導向レール２１３がケーシング２００の上面２００Ａに形成されるので、水平底板２１２の移動方向を制限する。ケーシング２００に調整台２０５を固定するために、第１の導向軌道２１２Ａとその対応する第１のねじ穴２００Ｂが、それぞれ、水平底板２１２とケーシング２００の上面に形成される。ねじ２１５を対応する第１の導向軌道２１２Ａを貫通し、対応する第１のねじ穴２００Ｂにスクルーすることにより、調整台２０５はケーシング２００に固定される。更に、第２の突起部２１３Ａが導向レール２１３のトップのエッジに形成され、調整台２０５が移動する際にケーシング２００から離れることを防止する。
【００２５】
図３Ａから図３Ｄに示すように、調整台２０５は、画像検出モジュール２０４をサポートし、ケーシング２００に安定的に移動することができる。また、調整台２０５がケーシング２００と組み合わせられた後に、レンズ用滑り軌道２０８が、調整台２０５の背部２０９と側部２１０及び２１１との間の領域に設置される。図３Ｂに示すように、レンズ２０３が、続いてレンズ用滑り軌道２０８に設置される。その後、図３Ｄに示すように、滑りフレーム２０６が、調整台２０５の背部２０９と側部２１０及び２１１との間に収納され、レンズ２０３を固定する。この場合、レンズ２０３は、レンズ用滑り軌道２０８に沿って移動可能である。また、調整台２０５の背部２０９は、センシング・ウィンドウ２０９Ｅを更に含む。センシング・ウィンドウ２０９Ｅにより、レンズ２０３からの光学信号が画像検出モジュール２０４に結像される。
【００２６】
また、図３Ａから図３Ｄに示すように、滑りフレーム２０６を調整台２０５に連結するために、二つの水平ブロック２１４が調整台２０５の側部２１０と２１１の内壁に形成され、また、滑りフレーム２０６の両サイドが水平ブロック２１４に対応する複数の第１の水平翼２０６ＡとＬ状のほぞ２０６Ｂを有する。第１の水平翼２０６ＡとＬ状のほぞ２０６Ｂが水平ブロック２１４の上面と底面を固定した後に、滑りフレーム２０６が調整台２０５と連結され、水平ブロック２１４に沿って前後に移動可能である。一方、滑りフレーム２０６とレンズ２０３は、互いにマッチする係合要素を有する。例えば、レンズ２０３の外周にリング状の凹部２０３Ａを有し、この凹部２０３Ａは、滑りフレーム２０６（図３Ｃに示される）の凸部２０６Ｃをマッチする。滑りフレーム２０６が調整台２０５と連結される場合、凸部２０６Ｃがリング状の凹部２０３Ａと係合される。滑りフレーム２０６が移動されると、凸部２０６Ｃがリング状の凹部２０３Ａを押し、同時に、レンズ２０３がレンズ用滑り軌道２０８に沿って移動される。よって、レンズ２０３と画像センサー２０４Ａとの間に距離を調整する。なお、係合要素については、この実施形態に限定されず、あらゆる変更も可能です。例えば、二つのリング状の凹部２０３Ａと二つの凸部２０６Ｃが、それぞれレンズ２０３と滑りフレーム２０６に形成される。更に、滑りフレーム２０６は、所望しない光束をフィルタリングするための遮光板２０６Ｄと、レンズ２０３を固定する凸部２０６Ｃをアシストするアーチ状のホルダー２０６Ｅとを含む。
【００２７】
図３Ｂから３Ｄに示すように、滑りフレーム２０６は、底面の両側に二つの第２の水平翼２０６Ｆを含む。第２の水平翼２０６Ｆの各々は、ケーシング２００の上面２００Ａの第２のねじ穴２００Ｃに対応する第２の導向軌道２０６Ｆ’を有する。ねじ２１６を対応する第２の導向軌道２０６Ｆ’を貫通し、対応する第２のねじ穴２００Ｃにスクルーすることにより、図３Ｄに示すように、滑りフレーム２０６がケーシング２００に固定される。
【００２８】
更に、レンズ２０３は、調整台２０５に取り付けられる滑りフレーム２０６により駆動され、レンズ用滑り軌道２０８に沿って安定的に移動できるために、調整台２０５の背部２０９は、滑りフレーム２０６の上面に配置される水平尾板２０６Ｇに対応する導向構造を含む。図３Ｂに示すように、一例としての導向構造は、滑り切欠き部２０９Ｂを含む。滑りフレーム２０６が、調整台２０５と連結され、調整台２０５に移動されると、滑り切欠き部２０９Ｂを覆う水平尾板２０６Ｇが、滑り切欠き部２０９Ｂにより導向され、前後に安定的に移動される。なお、導向構造については、この実施形態に限定されず、あらゆる変更も可能です。例えば、導向構造は、水平尾板２０６Ｇを導向するための二つの隆起する導向軌道を有しても良い。
【００２９】
図３Ｂから３Ｄに示すように、レンズ２０３は、調整台２０５に取り付けられる滑りフレーム２０６により駆動され、レンズ用滑り軌道２０８に沿って所定の距離まで移動できるために、調整台２０５の背部２０９は、滑りフレーム２０６の水平尾板２０６Ｇの端部から下方に延伸する第３の突起部２０６Ｈに対応する横向き凹部２０９Ｃを含む。この場合、滑りフレーム２０６が調節台２０６と連結されると、図３Ｄに示すように、第３の突起部２０６Ｈが横向き凹部２０９Ｃに収納され、移動可能な範囲が横向き凹部２０９Ｃにより制限される。
【００３０】
図３Ａと図３Ｂに示すように、滑りフレーム２０６と調整台２０５を用い、位置を正確的に調整できるために、滑りフレーム２０６の水平尾板２０６Ｇは、調整台２０５の背部２０９の上面における第２の線形凹部２０９Ｄに対応する第２のせん孔２０６Ｉを含むので、焦点合わせを補助する。また、調整台２０５の側部２１０は、ケーシング２００の調整台用滑り軌道２０７の第１の線形凹部２０７Ａに対応する下向きの第１のせん孔２１０Ｂを含むので、倍率補正を補助する。
【００３１】
図３Ｄから３Ｆに示すように、滑りフレーム２０６が調整台２０５と連結された後に、第２の線形凹部２０９Ｄの一部が第２のせん孔２０６Ｉから露出される。調整シャフト２２０の偏心カム２１９を、第２のせん孔２０６Ｉを通過して第２の線形凹部２０９Ｄに挿入することにより、滑りフレーム２０６の移動を調整することができる。偏心カム２１９は、調整シャフトの回転により第２の線形凹部２０９Ｄを移動し、滑りフレーム２０６は、調整台２０５の水平ブロック２１４に移動される。図３Ｅと図３Ｆに示すように、レンズ２０３は、滑りフレーム２０６の移動に応じてレンズ用滑り軌道２０８に移動されるので、焦点合わせを行う。
【００３２】
図３Ｄ、図３Ｆと図３Ｇに示すように、調整台２０５がケーシング２００に取り付けられた後に、第１の線形凹部２０７Ａの一部が第１のせん孔２１０Ｂから露出される。調整シャフト２１８の偏心カム２１７を、第１のせん孔２１０Ｂを通過して第１の線形凹部２０７Ａに挿入することにより、調整台２０５の移動を調整できる。偏心カム２１７は、調整シャフト２１８の回転により第１の線形凹部２０７Ａを移動し、調整台２０５は、調整台用滑り軌道２０７に沿って移動される。図３Ｆと３Ｇに示すように、レンズ２０３、画像検出モジュール２０４及び滑りフレーム２０６は、調整台２０５の移動に応じえ同期的に移動されるので、倍率補正を行う。
【００３３】
図３Ｈに示すように、調整シャフトによる微調整により、光学読込ヘッド２０の倍率誤差が所定の値以下に調整された後に、ねじ２１５と２１６は、それぞれ調整台２０５の第１の導向軌道２１２Ａと、滑りフレーム２０６の第２の導向軌道２０６Ｆ’とを貫通し、ケーシング２００の上面２００Ａの第１のねじ穴２００Ｂと第２のねじ穴２００Ｃにスクルーされる。これにより、調整台２０５と滑りフレーム２０６は、ケーシング２００に固定される。一方、光学読込ヘッドが保守または再加工される場合、並びに、レンズが交換される必要がある場合には、まず、ねじ２１５と２１６が緩められ、そして、滑りフレーム２０６と調整台２０５が分離される。関連する部品が交換され、焦点合わせと倍率補正が行われた後に、調整台２０５と滑りフレーム２０６が再びケーシング２００に固定される。或いは、ケーシング２００の上面２００Ａには複数のせん孔を有し、ねじ孔の対応する数を有する金属板（図示せず）がケーシング２００の背面に設置される。ねじ２１５と２１６が、せん孔を貫通してねじ孔にスクルーされた後に、調整台２０５と滑りフレーム２０６が、ケーシング２００に固定される。
【００３４】
調整台２０５がケーシング２００に移動される際に、調整台２０５の側部２１０の第１の突起部２１０Ａが調整台用滑り軌道２０７と密接的に接触するために、光学読込ヘッド２０は、調整台における固定要素と、ケーシング２００においてこの固定要素に対応する構造とを更に有しても良いので、倍率補正の後のシフトを防止する。
【００３５】
図４Ａは、本発明の第二の実施形態に係る光学読込ヘッドを示す図である。この実施形態において、基本的な構成要素は、第一の実施形態に述べた構成要素とほぼ同様であるので、ここでは、その説明を省略する。この実施形態に係る調整台２０５は、側部２１０の底面に収納部２１０Ｃを更に含む。ねじ穴台（或いはねじ穴）２１０Ｄが収納部２１０Ｃに設置される。調整台２０５の固定要素は、Ｌ状のフック部２２１Ａとせん孔２２１Ｂを有する固定板２２１を含む。ねじ２２２がせん孔２２１Ｂを貫通してねじ穴台２１０Ｄにスクルーされた後に、固定板２２１が収納部２１０Ｃに固定され、しかし、Ｌ状のフック部２２１Ａが図４Ｂに示すように収納部２１０Ｃから突き出される。一方、光学読込ヘッド２０は、調整台用滑り軌道２０７におけるＬ状の導向軌道２０７Ｂを更に含む。調整台２０５をハウジング２００と連結するために、Ｌ状のフック部２２１Ａは、まず、Ｌ状の導向軌道２０７Ｂの短辺サイドに貫通する。調整台２０５がケーシング２００に移動された後に、Ｌ状のフック部２２１Ａが、図４Ｃに示すように、Ｌ状の導向軌道２０７Ｂの長辺サイドの外面にフックされる。同時に、調整台２０５の第１の突起部２１０Ａも調整台用滑り軌道２０７と密接的に接触する。同様に、図３Ｄに示すように、調整シャフト２１８を用いることにより、第１の突起部２１０Ａが調整台用滑り軌道２０７に沿って移動される。
【００３６】
また、図３Ａと図４Ｂに示すように、図３Ａに係る第一の実施形態において、調整台２０５は、ケーシング２００の調整台用滑り軌道２０７と直接連結され、図４Ｂに係る第二の実施形態において、調整台２０５は、Ｌ状のフック部２２１ＡをＬ状の導向軌道２０７Ｂに貫通させ、Ｌ状の導向軌道２０７Ｂの長辺の外面にＬ状のフック部２２１Ａをフックすることにより、ケーシング２００と連結される。また、水平底板２１２の各々は、Ｌ状のフック部２２１Ａに対応する切欠き部２１２Ｂを更に含む。Ｌ状のフック部２２１ＡがＬ状の導向軌道２０７Ｂの短辺サイドを貫通した後に、導向レール２１３の第２の突起部２１３Ａは、切欠き部２１２Ｂを貫通し、調整台２０５の第１の突起部２１０Ａは、調整台用滑り軌道２０７に埋め込まれる。この場合、調整台２０５は、調整台用滑り軌道２０７上を移動可能であり、そして、Ｌ状の導向軌道２０７Ｂの長辺サイドの外面にＬ状のフック部２２１Ａをフックすることにより、ケーシング２００に固定される。
【００３７】
一方、光学読込ヘッド２０を組み立てる際に、レンズ２０３の固有の誤差が原因で、光学信号から画像センサー２０４Ａまでの光路が容易に傾斜する。光路の傾斜を最小限にするために、光学読込ヘッド２０の第三の実施形態が図５Ａから図５Ｃに示される。第一の実施形態に説明された構成要素に加えて、第三の実施形態の光学読込ヘッド２０は、画像検出モジュール２０４を含む調整可能な機構を更に有する。調整可能な機構により、画像検出モジュール２０４の水平配置角度を調整することができる。図５Ａの光学読込ヘッド２０において、押し棒或いは押しブロック２２３が調整台２０５の接続部と画像検出モジュール２０４の回路板２０４Ｂに配置される。また、収納部２１０Ｅが、押し棒２２３を収納するために、調整台２０５の側部２１０に形成される。押し棒２２３を用いることにより、回路板２０４Ｂを外に所定の距離で押すことができる。この場合、水平配置の傾斜角が校正され、光路傾斜の問題を克服される。
【００３８】
また、図５Ａに示すように、押し棒２２３が調整される前に、押し棒２２３が回路板２０４Ｂと調整台２０５と連結される。ねじ２２８を押し棒２２３の前端の第４のねじ穴２２３Ａに貫通させ、そして、回路板２０４Ｂの第４の導向軌道２０４Ｂ’にねじ２２８をスクルーすることにより、回路板２０４Ｂが押し棒２２３の前端に固定される。一方、押し棒２２３の上面には、調整台２０５の側部２１０における下向きの第３の導向軌道２１０Ｆと第３のせん孔２１０Ｇに対応する第３のねじ穴２２３Ｂと第３の線形凹部２２３Ｃを更に含む。押し棒２２３が収納部２１０Ｅに収納された後に、押し棒２２３の後端が、ねじ２２４を第３の導向軌道２１０Ｆに貫通させ、そして、第３のねじ穴２２３Ｂにゆるくスクルーすることにより、調整台２０５と連結される。
【００３９】
また図５Ａから図５Ｃに示すように、押し棒２２３が調整台２０５と連結された後に、第３の線形凹部２２３Ｃの部分が第３のせん孔２１０Ｇから露出される。調整シャフト２２６の偏心カム２２５を、第３のせん孔２１０Ｇを通過して、第３の線形凹部２２３Ｃに挿入することにより、押し棒２２３の移動を調整することができる。偏心カム２２５は、調整シャフト２２６の回転により、第３の線形凹部２２３Ｃを回路板２０４Ｂに移動する。この場合、画像検出モジュール２０４の配置角度が精確的調整されるので、光路傾斜を最小限にすることができる。調整された光路が所定の条件を満たすと、ねじ２２４を第３のねじ穴２２３Ｂにしっかりスクルーすることにより、押し棒２２３が調整台２０５に完全に固定される。図５Ｂと図５Ｃに示すように、回路板２０４Ｂの一つのエッジが、押し棒２２３により調整台２０５から押され、画像検出モジュール２０４の水平の配置角度が精確的に調整される。これにより、光学読込ヘッド３０の光路傾斜が校正される。
【００４０】
前述の第三の好適な実施形態において、押し棒２２３が、それぞれ調整台２０５の側部２１０の第３のせん孔２１０Ｇと第３の導向軌道２１０Ｆに対応する、押し棒２２３の上面の第３のねじ穴２２３Ｂと第３の線形凹部２２３Ｃを取り込むことにより、調整台２０５と連結される。あるいは、第３の導向軌道２１０Ｆと第３のせん孔２１０Ｇの位置は、第３のねじ穴２２３Ｂと第３の線形凹部２２３Ｃの位置に対応すれば、第３のねじ穴２２３Ｂと第３の線形凹部２２３Ｃは、押し棒２２３の側部に露出されても良い。なお、調整可能な機構については、この実施形態に限定されず、あらゆる変更も可能です。例えば、第３のねじ穴と第３の線形凹部が押し棒の上面と側面に提供されれば、箱状の押し棒２２３が任意の形状を持つ調整可能な機構に取り替えられても良い。
【００４１】
光学読込ヘッドの第四の実施形態が図６Ａと図６Ｂに示される。この実施形態において、基本的な構成要素が第一の実施形態に説明された構成要素とほぼ同じであるので、ここでは、その説明を省略する。また、第二の実施形態に説明された固定要素の特徴と、第三の実施形態に説明された調整可能な機構とは、本実施形態に係る光学読込ヘッドに統合される。図６Ａに示すように、調整台２０５は、側部２１０の底面に位置する収納部２１０Ｅと、固定板２２１とを含む。固定板２２１は、Ｌ状のフック部２２１Ａとせん孔２２１Ｂを有し、また、図４Ａに示された固定板２２１とほぼ同じように、収納部２１０Ｅに収納と固定される。調整台２０５は、収納部２１０Ｅと連通する入口２１０Ｈを更に含む。入口２１０Ｈを通過し、押し棒或いは押しブロック２２３は、前向きに押され、収納部２１０Ｅに収納される。この実施形態において、固定板２２１のＬ状のフック部２２１Ａが、Ｌ状の導向軌道２０７Ｂの外面にフックされた後に、調整台２０５がケーシング２００に固定される。また、固定板２２１は、押し棒２２３を抑えるから、押し棒２２３の移動範囲を制限することができる。図６Ｂに示すように、ねじ２２２を収納部２１０Ｅに位置するねじ穴台座２１０Ｄにスクルーすることにより、固定板２２１が調整台２０５と連結され、また、押し棒２２３部分が固定板２２１により抑えられるので、押し棒２２３が収納部２１０Ｅに固定される。ねじ２２４を、第３の導向軌道２１０Ｆを通過して第３のねじ穴２２３Ｂにゆるくスクルーすることにより、押し棒２２３が事前に調整台２０５と連結される。そして、ねじ２２８を回路板２０４Ｂの第４の導向軌道２０４Ｂ’にスクルーすることにより、回路板２０４Ｂが押し棒２２３前端に固定される。また、調整シャフト２２６の偏心カム２２５を、第３のせん孔２１０Ｇを通過して第３の線形凹部２２３Ｃに挿入することにより、押し棒２２３の移動を調整することができる。偏心カム２２５は、調整シャフト２２６により第３の線形凹部２２３Ｃを、回路板２０４Ｂに向けって移動する。この場合、画像検出モジュール２０４の配置角度が精確的に調整されるので、光路傾斜を最小限にすることができる。
【００４２】
図７Ａは、本発明の第一から第四の好適な実施形態のいずれかに係る滑りフレーム２０６と調整台２０５との組み合わせを示す図である。二つの水平ブロック２１４が、調整台２０５の側部２１０と２１１に内壁に形成され、滑りフレーム２０６の二つのサイドには、水平ブロック２１４に対応するＬ状のほぞ２０６Ｂと幾つの第１の水平翼２０６Ａが含まれる。第１の水平翼２０６ＡとＬ状のほぞ２０６Ｂが水平ブロック２１４の上面と底面を固定した後に、滑りフレーム２０６が調整台２０５と連結され、また、水平ブロック２１４に沿って前後に移動可能である。
【００４３】
図７Ｂは、本発明の第五の実施形態に係る滑りフレーム２０６と調整台２０５との組み合わせを示す図である。二つの滑り棒２２７が調整台２０５の反対側に提供される。滑りフレーム２０６の各々のサイドには、対応する滑り棒２２７と係合するアーチ状のほぞ２０６Ｊが含まれる。滑りフレーム２０６は、調整台２０５の滑り棒２２７に沿って前後に移動可能であり、レンズ２０３は、レンズ用滑り軌道２０８に移動するために駆動される。なお、滑り棒２２７とほぞ２０６Ｊについては、本実施形態に限定されず、あらゆる変更も可能である。
【００４４】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００４５】
【図１】従来のスキャン装置の光学読込ヘッドの断面図である。
【図２】本発明の好適な実施例に係るスキャン装置の光学読込ヘッドの断面図である。
【図３Ａ】本発明の第一の好適な実施例に係るスキャン装置の光学読込ヘッドを組み立てるプロセスを示す斜視図である。
【図３Ｂ】本発明の第一の好適な実施例に係るスキャン装置の光学読込ヘッドを組み立てるプロセスを示す斜視図である。
【図３Ｃ】本発明の第一の好適な実施例に係るスキャン装置の光学読込ヘッドを組み立てるプロセスを示す斜視図である。
【図３Ｄ】本発明の第一の好適な実施例に係るスキャン装置の光学読込ヘッドを組み立てるプロセスを示す斜視図である。
【図３Ｅ】本発明の第一の好適な実施形態に係る焦点合わせと倍率補正を示す上面図である。
【図３Ｆ】本発明の第一の好適な実施形態に係る焦点合わせと倍率補正を示す上面図である。
【図３Ｇ】本発明の第一の好適な実施形態に係る焦点合わせと倍率補正を示す上面図である。
【図３Ｈ】本発明の第一の好適な実施形態に係る調整台と滑りフレームは、焦点合わせと倍率補正が完了された後にケーシングと固定される様子を示す図の上面図である。
【図４Ａ】本発明の第二の好適な実施形態に係る光学読込ヘッドの固定要素を示す斜視図である。
【図４Ｂ】本発明の第二の好適な実施形態に係る光学読込ヘッドの固定要素を示す斜視図である。
【図４Ｃ】本発明の第二の好適な実施形態に係る光学読込ヘッドの固定要素を示す斜視図である。
【図５Ａ】本発明の第三の好適な実施形態において、調整可能な機構を有するスキャン装置の光学読込ヘッドを示す分解図である。
【図５Ｂ】本発明の第三の好適な実施形態において、調整可能な機構により画像検出モジュールの配置角度を調整する方法を示す上面図である。
【図５Ｃ】本発明の第三の好適な実施形態において、調整可能な機構により画像検出モジュールの配置角度を調整する方法を示す上面図である。
【図６Ａ】本発明の第四の好適な実施形態において、固定要素と調整可能な機構とを有する光学読込ヘッドを示す分解図である。
【図６Ｂ】本発明の第四の好適な実施形態に係る光学読込ヘッドの調整可能な機構と固定要素を示す断面図の一部である。
【図７Ａ】本発明の第一から第四の好適な実施形態のいずれかに係る調整台と滑りフレームとの組み合わせを示す前面図です。
【図７Ｂ】本発明の第五の好適な実施形態に係る調整台と滑りフレームとの組み合わせを示す前面図である。
【符号の説明】
【００４６】
１  従来のスキャン装置
１０  光学読込ヘッド
１１  スキャン対象
１００  光学読込ヘッドのケーシング
１０１  光源
１０２  反射鏡
１０３  レンズ
１０４  画像検出モジュール
２  本発明のスキャン装置
２０  光学読込ヘッド
２００  光学読込ヘッドのケーシング
２０１  光源
２０２  反射鏡
２０３  レンズ
２０４  画像検出モジュール
２０５  調整台
２０６  滑りフレーム
２０７  調整台用滑り軌道
２０８  レンズ用滑り軌道
２０９  背部
２１０、２１１  側部
２１２  水平底板
２１３  導向レール
２１４  水平ブロック
２１５、２１６  ねじ
２１７、２１９、２２５  偏心カム
２１８、２２０、２２６  調整シャフト
２２１  固定板
２２２、２２４、２２８  ねじ
２２３  押し棒
２２７  滑り棒
【図１】
0004352039.tif 000002
【図２】
0004352039.tif 000003
【図３Ａ】
0004352039.tif 000004
【図３Ｂ】
0004352039.tif 000005
【図３Ｃ】
0004352039.tif 000006
【図３Ｄ】
0004352039.tif 000007
【図３Ｅ】
0004352039.tif 000008
【図３Ｆ】
0004352039.tif 000009
【図３Ｇ】
0004352039.tif 000010
【図３Ｈ】
0004352039.tif 000011
【図４Ａ】
0004352039.tif 000012
【図４Ｂ】
0004352039.tif 000013
【図４Ｃ】
0004352039.tif 000014
【図５Ａ】
0004352039.tif 000015
【図５Ｂ】
0004352039.tif 000016
【図５Ｃ】
0004352039.tif 000017
【図６Ａ】
0004352039.tif 000018
【図６Ｂ】
0004352039.tif 000019
【図７Ａ】
0004352039.tif 000020
【図７Ｂ】
0004352039.tif 000021